(57)【特許請求の範囲】
【請求項１】
畳床の上面全体を覆うように透光性の畳表を取り付け、かつ畳床の内部に光源を内蔵した発光機能付き畳において、
畳床（２）は、踏み板としての強度を有する頂板（１２）と頂板とほぼ同形の底板（４）との各外周部を枠体（６）で連結し、かつ、頂板（１２）下面と底板（４）上面と枠体（６）の内周面とで形成する空間内に光源（１４）を設置してなり、
畳表（２０）は、表面を光学的粗面とする非透過性の第１の緯（２２）と透光性の第２の緯（２４）とを緯材として、緯同士が相互に密接するように経糸で製織して上記第２の緯（２４）がスリット状の光の通り道となるように形成してなり、
さらに上記光源（１４）の上方に遮光部（１０）を設け、
光源（１４）から斜めに当たった光の少なくとも一部が第２の緯（２４）を透過して第１の緯（２２）の表面に当たって散乱するようにしたことを特徴とする、発光機能付き畳。
【請求項２】
上記畳表（２０）と光源（１４）との間に散光材（２８）を介在させ、光源（１４）から発する全ての光が一旦散乱された後に、畳表（２０）に入射するようにしたことを特徴とする、請求項１に記載の発光機能付き畳。
【請求項３】
上記枠体（６）の内周面に、少なくとも枠体の上部分を遮光部（１０）として残して、内方開口の内溝（８）を形成し、
この内溝（８）内に点列状又は線状の光源（１４）を設置したことを特徴とする、請求項１又は請求項２記載の発光機能付き畳。
【請求項４】
外周部を除く頂板（１２）部分及び底板（４）部分の間に支持手段（１８）を挟持させるとともに、この支持手段（１８）を透光性材料で形成したことを特徴とする、請求項１から請求項３の何れかに記載の発光機能付き畳。
【請求項５】
少なくとも上記底板（４）の上面を、反射率の高い明色面又は鏡面としたことを特徴とする請求項１から請求項４の何れかに記載の発光機能付き畳。
【請求項６】
第１の緯（２２）として、天然い草のような植物素材を使用したことを特徴とする、請求項１から請求項５のいずれかに記載の発光機能付き畳。
【請求項７】
上記光源（１４）として、白色系の光源と、暖色系の光源とを備え、一日のうち或る時間帯には白色系の光源を、別の時間帯には暖色系の光源を発光することができるようにオンオフの切替を行う機構を設けたことを特徴とする、請求項１から請求項６のいずれかに記載の発光機能付き畳。
【発明の詳細な説明】
【技術分野】
【０００１】
本発明は発光機能付き畳に関する。
【背景技術】
【０００２】
畳は、元来、経緯の一方にい草とし、他方に糸として製織した畳表と、稲わらを交互に重ねて圧縮して畳糸で縫い付けた畳床とからなるが、天然のい草は、断面ハチの巣状の構造を有し、吸湿性が高い、二酸化炭素などを吸着する、い草の香りが心をリラックスさせる作用を有するとされている（非特許文献１）。
【０００３】
しかしながら、近年、生活に役立つ特別な機能を付加するために、畳の素材の全部又は一部を人工物に置き換えた畳が提案されている。例えば天然い草に比べて品質・価格が安定しており、耐久性・対候性に優る合成樹脂製の模造い草を用いることもある（特許文献１）。また、畳床としてクッション性に優れた畳ボードを用いることもある（特許文献２）。畳そのものではないが、ベットに用いる畳マットレスであって、枠体の内部に縦横のダンボール製の仕切り板を設け、仕切り板で区画する空間内に木炭を挿入して、消臭機能を持たせたものもある（特許文献３）。畳床に熱媒体を通すためのガイド溝を形成した冷暖房用畳も知られている（特許文献４）。
【０００４】
こうした物質的な快適性の他に、精神面での安らぎ、癒しの効果を探求して、本出願人は、畳の表面又は内部に光源を有し、発光するようにした畳を提案した（特許文献５）。
【特許文献１】特開平１１-３５０７１１
【特許文献２】特開平０５−２８７８８５
【特許文献３】特開平１１−０７６００２
【特許文献４】特開平１０−２９２６０５
【特許文献５】特開２００７−３０９０７１
【特許文献６】特開２００５−２０１００２
【非特許文献１】「畳屋さんドットコム」  検索日平成１９年１２月１１日    1198148590631_0.html
【発明の開示】
【発明が解決しようとする課題】
【０００５】
特許文献５の発光機能付き畳は、光のデザインによる見た目の面白さ、光による癒しやリラックス効果を狙った斬新な畳である。例えば朝日を見て心地良さを感じることは誰でも経験することであろう。しかしながら、光によるリラックス効果は人間の体内時計と密接な関係がある。朝日は日中の太陽光よりは柔らかく、夜と昼との間の早朝の時間帯にみれば心地よいのであるが、仮に夜間に朝日と同程度の光量・強度の照明を用いるとすれば、就寝に向かって休もうとしている身体を活性化してしまう。単に光量を減らすには例えば電球への供給電力を調整すればよいが、それだけでは心をリラックスさせるようなぼんやりと柔らかな光は得られない。そうした柔らかな光源を如何に畳の構造に組み込むのかということが問題となっていた。
【０００６】
間接照明では例えば壁に設置したランプのうち部屋内方側を遮光板で覆い、ランプの光を壁に照射させて、その反射光を明かりとするということが行われているが、その手法を畳にそのまま取り入れるのは無理である。畳の表面に光を当てると言っても畳の上には人が座ったりするのだから、人に光が当たってしまう。
【０００７】
この他に発光性能を備えた畳として、畳表に蛍光剤を含有させた少なくとも一本のい草を織り込んだものがあるが（特許文献６）、これは業者が自社の真性品と競業者の類似品とを見分けるマークとして用いるものであり、光による癒しの効果を目的とするものではない。
【０００８】
本発明の第１の目的は、人の心をリラックスさせるような柔らかい光を発する発光機能付き畳を提供することである。
【０００９】
本発明の第２の目的は、畳という伝統的な敷物に、光によるデザインという新しい機能を取り込み、見た目に美しく楽しい発光機能付き畳を提供することである。
【課題を解決するための手段】
【００１０】
第１の手段は、畳床の上面全体を覆うように透光性の畳表を取り付け、かつ畳床の内部に光源を内蔵した発光機能付き畳において、
畳床２は、踏み板としての強度を有する頂板１２と頂板とほぼ同形の底板４との各外周部を枠体６で連結し、かつ、頂板１２下面と底板４上面と枠体６の内周面とで形成する空間内に光源１４を設置してなり、
畳表２０は、表面を光学的粗面とする非透過性の第１の緯２２と透光性の第２の緯２４とを緯材として、緯同士が相互に密接するように経糸で製織して上記第２の緯２４がスリット状の光の通り道となるように形成してなり、
さらに上記光源１４の上方に遮光部１０を設け、
光源１４から斜めに当たった光の少なくとも一部が第２の緯２４を透過して第１の緯２２の表面に当たって散乱するようにしている。
【００１１】
本手段は、畳表を構成する経（たて材）・緯（よこ材）のうち、緯材の一部を透光材料で形成して光を透過させるとともに、残りの非透光性の緯が光を散乱するようにしたものである。単に光を透過するだけであれば全ての緯材を透光性にすればよいが、それでは畳の上に電球を置いたのと同じことであり、透過光が目に入ると刺激が強すぎる。光源から畳表に入射した光の少なくとも一部が非透過性の緯材の側面に散乱することで、ぼんやりと柔らかな光を発生する間接照明の効果が得られる。尚、本発明の畳は、和室に敷くための普通の畳としてだけでなく、置き畳みとしても使用できる。
【００１２】
「畳床」は、頂板と底板と枠体とで形成される中空台状の箱体であり、その内部に光源を有する。後述の図示例では、枠体の内周面に光源を設けているが、設置箇所は任意であり、例えば底板中心に光源を配置してもよい。頂板と底板との間には後述の支持手段を介在させるとよい。また頂板と底板とのうち何れか一方は光源の交換やメンテナンスのため枠体に対して着脱自在に設けるとよい。
【００１３】
「光源」は、発光手段として機能すればよく、電球、蛍光灯などでもよいが、安全性とエネルギーの効率性を考えると、発光ダイオード（ＬＥＤ）が望ましい。発熱を伴う光源であると、畳表が熱せられ、座り心地が悪くなる可能性があるからである。
【００１４】
「畳表」は、非透光性の第１の緯に、透光性の第２の緯を混入させ、光学的には縦格子状の構造を有する。第１の緯と第２の緯との混入割合は、用途によって適宜変更することができるが、好適な一例として、１対１とすることができる。この場合には、第１の緯と第２の緯とを交互に配置することが望ましい。畳表と畳床との間にはクッション層を敷設してもよい。
【００１５】
「遮光部」は、光が畳表を垂直に透過しないように光源の真上に設ける。光が畳表を垂直に透過すると、斜めに透過する場合に比べて第１の緯により散乱される光の割合が低下するとともに、光源の形が畳表を透けて見えて体裁が悪いからである。後述の図示例では、枠体そのものを遮光部としているが、光源を底板の中央側に設置するときには、枠体とは別に光源の上方の適所（例えば頂板の表面）に遮光部を設けてもよい。
【００１６】
「第１の緯」は、非透光性であって、表面を光学的粗面として、光を散乱する性能を有する。この性質により、光源からの光線を柔らかな散乱光として周囲に反射する。「光学的な粗面」とは、本明細書において、い草などの植物素材の表面の如く適当に光を散乱（又は拡散）して反射する面という程度の意味である。第１の緯は、い草などの天然素材で形成することができるが、合成樹脂で形成してもよい。
【００１７】
「第２の緯」は、畳表に並設された、スリット状の光の通り道である。暗い場所で発光中の本発明の畳を見ると、光量にもよるが、少なくとも畳表に一部に暗い縞（第１の緯）に対して明るい縞（第２の緯）が浮かび上がるようにすることができ（図７参照）、美しい「光る畳」のデザインが出来上がる。単に薄箱状の発光体というと、例えば薄箱型の照明カバーに蛍光灯を入れた天井用の照明などがあり、照明器具の意匠としてはありふれている。本発明では、畳表にい草状の縞が現れるようにすることで、畳のような伝統的な敷物に近代的な光る機能を組み込み、斬新な意匠を提供することができる。第２の緯は、ポリプロピレンなどの合成樹脂材、或いは紙を主成分とする材料で形成することができる。
【００１８】
尚、前述の遮光部とは別に、畳表又は畳表下方の適所に、光源からの光の少なくとも一部（光量の一部又は一部の波長帯の光）を遮る模様部を設け、畳表に光が浮かび上がるようにしてもよい。
【００１９】
第２の手段は、第１の手段を有し、かつ
上記畳表２０と光源１４との間に散光材２８を介在させ、光源１４から発する全ての光が一旦散乱された後に、畳表２０に入射するようにしている。
【００２０】
非透光性の第１の緯に透光性の第２の緯を混入してなる畳表に斜めに光を照射する前述の構成によれば、散乱光の割合を多くすることができるが、看る角度によっては光源から第２の緯を透過した直進光が目に入ってしまい、まぶしさを感じる可能性がある。そこで本手段では、畳表と光源との間に散光材を介入させ、どの方向から見ても柔らかな光となるようにしている。
【００２１】
「散光材」は、畳表の下方に敷設する層状のものでもよい。例えば前述の畳表の頂板を散光材とすることもできるも、別個に散光材を設けてもよい。
【００２２】
第３の手段は、第１の手段又は第２の手段を有し、かつ
上記枠体６の内周面に、少なくとも枠体の上部分を遮光部１０として残して、内方開口の内溝８を形成し、
この内溝８内に点列状又は線状の光源１４を設置している。
【００２３】
本手段では、枠体の内周面の内溝に光源を組み込むことで、光源から畳表下面へ斜めに光を照射する構造を実現するとともに、内溝上方の枠体部分を遮光部としている。暗い枠体（遮光部）に明るく輝く畳表が映えて美しいデザインを作り上げることができる。明色の畳表と暗色の畳縁という畳本来の意匠を活かして前述の「光る畳」のデザインの演出を強化することができる。枠体が縦横４辺から成る方形の場合、その横方向（第１、第２の緯の延びる方向）の辺の内面に設置すると、第１の緯の側面からの反射量を大きくとることができる。
【００２４】
第４の手段は、第１の手段から第３の手段のいずれかを有し、かつ
外周部を除く頂板１２部分及び底板４部分の間に支持手段１８を挟持させるとともに、この支持手段１８を透光性材料で形成している。
【００２５】
本手段では、頂板と底板の間に支持手段を介在させることで支持力を向上させるとともに、支持手段を透明にすることで畳表に影を作らないようにしている。これにより本発明本来の光る畳のデザインを活かすことができる。
【００２６】
「支持手段」は、柱状のものとして底板の各所に配置するとよい。また支持手段の上面に、上述の如く光の一部を遮る模様部を設けてもよい。
【００２７】
第５の手段は、第１の手段から第４の手段のいずれかを有し、かつ
少なくとも上記底板４の上面を、反射率の高い明色面又は鏡面としている。
【００２８】
前述の如く畳表の下面に斜めから光を照射する構造であると、光源から近いところと遠いところで明度の相違が大きくなる、底板に照射した光が吸収されてしまうと光エネルギーが無駄になる、という問題点がある。本手段では、光源からの光を底板上面で反射して畳表の下面に照射することで、エネルギー効率を高めるとともに、光源に近いところから遠いところへ光量が減衰する度合いを弱める働きをする。なお、畳表の底板上面だけでなく枠体の内周面も反射率の高い明色面又は鏡面とすることができる。
【００２９】
第６の手段は、第１の手段から第５の手段のいずれかを有し、かつ
第１の緯２２として、天然い草のような植物素材を使用している。
【００３０】
本手段では、天然い草などの植物素材を畳表に用いることを提案しており、草などの植物の香りや色合いによって人の気持ちをリラックスさせることができる。植物素材としては、日本で一般的に使用されるい草の他に、莞草（日本名カンエンガヤツリ）などであってもよい。後者は、い草によく似た１年草であって、外国でござ製品の材料などとして用いられるものである。この明細書では、天然い草又はこれに類似した性質の植物をい草類と呼ぶ。なお、第１の緯にい草類等の植物素材を使用する場合には、第２の緯を、第１の緯の植物素材より硬く耐久性に優る素材で形成するとともに、第２の緯の径を第１の緯の径より大きくするとよい。このようにすることで畳表の耐久性を向上することができる。
【００３１】
第７の手段は、第１の手段から第６の手段のいずれかを有し、かつ
上記光源１４として、白色系の光源と、暖色系の光源とを備え、一日のうち或る時間帯には白色系の光源を、別の時間帯には暖色系の光源を発光することができるようにオンオフの切替を行う機構を設けている。
【００３２】
人間の体調と光とは密接な関係があり、朝は自然光のような白い光、夕方はオレンジ色等の暖かい光が好ましいとされている。こうした光のサイクルとかけ離れた環境で生活をしていると、人はイライラしたり、気持ちがせっかちになる傾向がある。本手段では、時間に応じて白色光・暖色光の２種類の光源を使い分けることが可能な機構を設けることを提案する。使い分けの機構としては、時間帯に応じて自動的にオンオフを切り替える制御部を用いることが望ましいが、手動で切り替えるようにしてもよい。
【発明の効果】
【００３３】
第１の手段に係る発明によれば次の効果を奏する。  
○足元の、畳表からの低い位置のあかりであるので、落ち着きや安らぎを与える。
○光源１４から真上に照射する光を遮光部１０で遮るとともに、光源から斜めに進む光が第１の緯の表面に当たって散乱されるようにしたから、柔らかな優しい光を実現することができ、居住者の心を癒す快適な居住空間を実現できる。
○非透光性の第１の緯と透光性の第２の緯とを組み合わせ、光量次第で畳表にい草状の暗縞が浮かび上がるようにしたから、美しい「光る畳」の意匠を演出できる。
【００３４】
第２の手段によれば、光源１４からの光が全て散乱され、直射光が目に入ることはないので、さらに柔らかな光を提供できる。
【００３５】
第３の手段に係る発明によれば、光源１４を枠体６の内周面に組み込んだから、畳の縁が暗く、縁の内側が明るくなり、既存の畳のイメージを残しながら斬新なデザインを提供することができる。
【００３６】
第４の手段に係る発明によれば、支持手段１８を透光性材料で形成したから、この支持柱のうち光源１４の反対側に影ができることがない。
【００３７】
第５の手段に係る発明によれば、底板４の上面を、反射率の高い明色面又は鏡面としたから、畳表２０からの光量を増加することができる。
【００３８】
第６の手段に係る発明によれば、天然い草などの植物素材を畳表に用いることで、植物の香りや色合いによって人の気持ちをリラックスさせ、光の癒し効果と相まって快適性が高まる。
【００３９】
第７の手段に係る発明によれば、発光色の切替を可能としたから、体内時計と関連付けて健康によい調光を行うことができる。
【発明を実施するための最良の形態】
【００４０】
図１から図９は、本発明の実施形態に係る発光機能付き畳を示す。この畳は、畳床２と畳表２０とからなる。
【００４１】
畳表２は、底板４と、枠体６と、頂板１２と、光源１４と、制御部１６と、支持手段１８とを有する。
【００４２】
上記底板４は、矩形（図示例では正方形）の板材である。底板の上面は、反射率の高い明色、例えば白色となっている。
【００４３】
上記枠体６は、上記底板４の上面周縁部に接着されている。枠体の対向する２辺の内面には、各辺の長手方向全長に亘って光源収納用の内溝８を横設する。図示の内溝は図３に示す如く、内方に開口する断面凹状のものであり、枠体の上下方向中間部に形成されている。枠体６は非透光性の材料で形成され、内溝上方の枠体部分は遮光部１０としての機能を有する。内溝８の設置箇所であるが、後述の図７の如く隣り合う２辺に設けてもよく、また１辺のみに設けてもよく、４辺全てに設けてもよい。また内溝８は各辺の一部（例えば長手方向中間部）にのみ形成してもよい。
【００４４】
上記頂板１２は、その頂板外周部を上記枠体６の上面に着脱自在に取り付けており、透光性の材料で形成している。この頂板１２は、人の体重を支えられるように十分強度のある素材、例えばポリカーボネートで形成する。
【００４５】
上記光源１４は、上記内溝８内に収納されている。図示の光源は、直列に接続されたＬＥＤとしている。これらの光源１４は、枠体６内周面から内方へ拡散光を放射するように配置されている。図面では、作図の都合上でＬＥＤの数を少なくしているが、現実には、より多数のＬＥＤを僅かな隙間を存して配置するとよい。またこれら一連のＬＥＤを相互に連結した発光部材としておくと取り扱いに便利である。
【００４６】
上記制御部１６は、図示しない外部電源に接続されており、上記光源１４に対するオンオフ、光量の制御などを行う。最も枠体内に電源を内蔵させてもよい。光の色の調整も行うことができるが、これについては実施例の欄で述べる。
【００４７】
上記支持手段１８は、底板４と頂板１２との間に挟み込こまれた柱状の部材として形成している。支持手段の下面は底板４に接合しておくとよい。この支持手段は、透明材料で形成され、図１に想像線で示す如く光源からの光を遮って影を作ることがないように形成している。支持手段は、ポリカーボネートで形成するとよい。
【００４８】
図面では省略しているが、上記畳床２の外面の適所を抉って、上記制御部１６へ給電するための電線挿入用の空所を形成するとよい。好適な一例として、畳床の側面と底面との間の角部を面取りし、或いは抉り取って、二つの畳を隣接させたときに、各畳の空所が合わさって成る凹溝に電線を配線するとよい。この電線は枠体の適所を貫いて制御部１６へ到達するようにするとよい。
【００４９】
畳表２０は、図４に示すように第１の緯２２と第２の緯２４とを経糸で製織してなる。製織の仕方は普通の畳と同じでよい。第１の緯２２は、天然のい草であり、入射光を反射することが可能な粗面を外周面としている。天然のい草は淡い緑色であり、入射した光を適度に拡散反射するので、素材として良好である。もっともい草でなくても、適当な反射率を有し、光を散乱・拡散する素材であればよい。第２の緯２４は、例えばポリプロピレンなどの透明材料で形成することができる。第１の緯２２と第２の緯２４とを交互に設けている。第１、第２の緯は内溝を設置した辺の方向に配向している。
【００５０】
上記構成において、図示しないスイッチをオンにして、光源１４に電流を供給すると、図４に示す如く光源からの光の一部は第２の緯２４を通って直進するが、他の一部は、この第２の緯２４の隣りの第１の緯２２の側面に当り、さまざまな方向に散乱する。これにより柔らかい光が畳表２０上方へ放出される。また光源１４から底板４の上面に照射された光は、底板４上面で乱反射され、畳表２０のさまざまな方向に向かう。これにより、畳表２０のうち光源１４から距離のある場所にも光が分配される。
【００５１】
以下、本発明の実施例について解説する。これらの解説において、第１の実施形態と同じ構成については説明を省略する。
［実施例１］
図６は、第１の実施例を示している。この例では、畳表２０と頂板１２との間にクッション層を兼ねた散光材２８を敷設したものである。この散光材は、乳白色の透光板とすることができる。この構成とすることで、散光材に入射した光は図示のように散乱する。従って光源１４から散光材へ浅い傾斜で光が入射したときでも、光の一部は上方へ向かう。従って畳表のうち光源から距離のある場所にも光が分配される。散乱材２８から出た光の一部は更に第１の緯２２の表面で散乱する。上記散光材はクッションの他に防水シートを兼ねるものとしてもよい。この場合には、防水シート兼散光材を、図２に示す畳表と同様に、頂板の縁を超えて畳床の側面へ延長するとよい。
【００５２】
図７は、本実施例のうち、枠体の隣り合う２辺に光源を配置したタイプのものを試作し、発光させた状態をスケッチしたものである。第１の緯２２のある場所は暗い横縞Ｓ１が、第２の緯２４がある場所には明るい横縞Ｓ２がそれぞれ表われる。またこれらとの直交方向には経糸による縦縞Ｓ３が表われる。明るい縞Ｓ２が暗い縞Ｓ１より巾広なのは、第１の緯の表面のうち側面部分が光を反射するからである。枠体に近い場所では縞が薄くなっているのは、光源に近い場所では発光量が多いからである。第１の緯２２の表面に光が当たって散乱するため、図７のように畳の枠体の外側から畳表を見たときでも十分に明るく感じられる。さらに畳表の下に散光材２８を敷設することで第１、第２の緯の走向方向にも散乱光が照射される。
［実施例２］
図８は、畳表の実施例であり、第１の緯２２をい草などの植物素材で、第２の緯２４を合成樹脂などの耐久性のある素材で形成するとともに、第１の緯２２に比べて第２の緯２４の径を大きくしたものである。これにより、畳表２０を足で踏んだときでも第１の緯２２が摩擦や圧縮により劣化することを抑制することができる。これにより畳表の寿命を長くすることができる。
［実施例３］
図９は、支持手段１８の実施例であり、ダンボールに類似した波形の芯材を含むものである。即ち、この支持手段は横板１８ａと縦板１８ｂと波形の芯材１８ｃを含んでいる。芯材１８ｃは、横板１８ａ及び縦板１８ｂよりやや薄いが、これがあることで縦板の座屈や傾斜を防いでおり、軽量ながら強い支持力を発揮する。この支持手段は、ポリカーボネートで形成することができる。
［実施例４］
図１０は、支持手段１８の他の実施例である。この支持手段は、透明な支持柱の上面に、不透明な模様部３０を設けたものである。光源から光を照射すると、模様部３０に対応した影が畳表に浮かび上がるようにしている。模様部３０は、完全に光を遮断しなくてもよく、周囲よりやや暗くなるもの、特定の色調の色を通過させるものであってもよい。模様部は例えば頂板や畳表そのものに形成してもよいのであるが、図示例では、支持柱の上面に設けることで模様の位置やパターンの変更を可能としている。図示例と異なり、複数の支持柱の上面の模様部をピースとして、これらを組み合わせて模様のパターンを作るようにしてもよい。支持柱は図示のような多角柱としているが、円柱などでもよい。
【００５３】
［実施例５］
図１の畳の構成のうち、枠体の４辺に内溝を設け、向かい合う１対の辺の内溝に白色系の光源（ＬＥＤなど）を、他の１対の辺の内溝にオレンジなど暖色系の光源（ＬＥＤなど）をそれぞれ配置する。各種の光源群をそれぞれ制御部１６に接続し、朝方の時間帯には白色系光源が、夕方又は夜間の時間帯には暖色系光源がそれぞれ発光するように制御部１６で時間制御を行う。制御部は例えばマイクロコンピュータで形成することができる。白色系ＬＥＤと暖色系ＬＥＤとの配置は自由である。例えば４辺全てに白色系ＬＥＤと暖色系ＬＥＤとを互い違いに配置し、前者のみ、或いは後者のみ発光することができるように配線してもよい。
【図面の簡単な説明】
【００５４】
【図１】本発明の第1実施形態に係る発光機能付き畳の平面図である。
【図２】図１の畳のII−II方向縦断面図である。
【図３】図１の畳のIII−III方向部分縦断面図である。
【図４】図１の畳の要部拡大断面図である。
【図５】図１の畳の作用説明図である。
【図６】本発明の第２実施形態に係る発光機能付き畳の要部拡大縦断面図である。
【図７】図6の畳の変形例の発光状態を示す図である。
【図８】本発明に係る発光機能付き畳の畳表の実施例を示す縦断面図である。
【図９】本発明に係る発光機能付き畳の支持手段の実施例を示す斜視図である。
【図１０】本発明に係る発光機能付き畳の支持手段の他の実施例を示す斜視図である。
【符号の説明】
【００５５】
２…畳床  ４…底板  ６…枠体  ８…内溝  １０…遮光部  １２…頂板
１４…光源  １６…制御部
１８…支持手段 １８ａ…横板  １８ｂ…縦板  １８ｃ…芯材
２０…畳表  ２２…第１の緯  ２４…第２の緯  ２８…散光材
３０…模様部
Ｓ１…暗い横縞  Ｓ２…明るい横縞  Ｓ３…縦縞
【図１】
0004484921.tif 000002
【図２】
0004484921.tif 000003
【図３】
0004484921.tif 000004
【図４】
0004484921.tif 000005
【図５】
0004484921.tif 000006
【図６】
0004484921.tif 000007
【図７】
0004484921.tif 000008
【図８】
0004484921.tif 000009
【図９】
0004484921.tif 000010
【図１０】
0004484921.tif 000011